(57)【特許請求の範囲】
【請求項１】
内蔵のバッテリ電源又は外部電源からの電源供給により動作するスイッチング電源回路を備えた携帯情報端末において、
前記スイッチング電源回路に、交互にオン／オフするように駆動される複数のスイッチング用トランジスタと、
前記スイッチング用トランジスタを駆動制御するための駆動制御部と、
前記スイッチング用トランジスタのスイッチングにより発生した電圧で充電される出力側のコンデンサと、
前記複数のスイッチング用トランジスタの接続点から直接引き出されるラインを前記スイッチング用トランジスタの出力側のラインとし、該出力側のラインと接地電位間に接続したスナバ回路を備え、
前記スナバ回路は、前記交互にオン／オフするように駆動される複数のスイッチング用トランジスタの出力側のラインに接続された、スナバ回路用スイッチングトランジスタと、抵抗と、コンデンサの直列回路を含んで構成されており、
前記スナバ回路用スイッチングトランジスタがオンになり、スナバ回路に電流が流れると、前記ラインのノイズが吸収され、前記スナバ回路用スイッチングトランジスタがオフになり、スナバ回路に電流が流れなくなると、前記ラインのノイズが吸収されなくなる機能を備えると共に、
外部電源の接続状態を検出する外部電源検出部と、外部電源から給電されているドッキングステーション／ポートリプリケータの接続状態を検出するドッキングステーション／ポートリプリケータ検出部と、外部インタフェースの接続状態を検出するＩ／Ｆ接続検出部からなる複数の検出手段を有する検出部を設け、
前記検出部内の複数の検出手段からの検出信号の論理和出力により、前記スナバ回路が駆動制御されることを特徴とする携帯情報端末。
【請求項２】
前記外部電源検出部により外部電源が接続されていることを検出した場合には、前記外部電源検出部の検出信号に基づいて前記スナバ回路をオン状態に駆動して、前記スナバ回路の機能により前記ラインのノイズを吸収させ、
外部電源が遮断されたことを検出した場合には、前記外部電源検出部の検出信号に基づいて前記スナバ回路をオフ状態に駆動し、前記スナバ回路の機能を停止させることを特徴とする請求項１記載の携帯情報端末。
【請求項３】
前記ドッキングステーション／ポートリプリケータ検出部により前記ドッキングステーション／ポートリプリケータが接続されていることを検出した場合には、前記ドッキングステーション／ポートリプリケータ検出部の検出信号に基づいて前記スナバ回路をオン状態に駆動して、前記スナバ回路の機能により前記ラインのノイズを吸収させ、
ドッキングステーション／ポートリプリケータが接続されていないことを検出した場合には、前記ドッキングステーション／ポートリプリケータ検出部の検出信号に基づいて前記スナバ回路をオフ状態に駆動し、前記スナバ回路の機能を停止させることを特徴とする請求項１記載の携帯情報端末。
【請求項４】
前記Ｉ／Ｆ接続検出部により、インタフェースが接続されていることを検出した場合には、前記Ｉ／Ｆ接続検出部の検出信号に基づいて前記スナバ回路をオン状態に駆動して、前記スナバ回路の機能により前記ラインのノイズを吸収させ、
インタフェースが接続されていないことを検出した場合には、前記Ｉ／Ｆ接続検出部の検出信号に基づいて前記スナバ回路をオフ状態に駆動し、前記スナバ回路の機能を停止させることを特徴とする請求項１記載の携帯情報端末。
【発明の詳細な説明】
【技術分野】
【０００１】
本発明は、自動的に不要輻射を抑える機能を備えたノート型パソコン（ノートＰＣ）、携帯電話機、ＰＤＡ、カーナビゲーション（車から取り外して家の中でも使用可能なもの）等を含む携帯情報端末に関するものである。
【背景技術】
【０００２】
(1) ：従来例１
図５は従来のスイッチング電源回路例を示した図である。以下、図５及び携帯情報端末の一般的な背景技術を含め、従来例１として説明する。
【０００３】
近年、携帯情報端末の性能の向上は目ざましいが、それに伴い携帯情報端末の消費電力は増大する傾向にある。携帯情報端末には、外部から供給される高い電圧の電源、すなわち、外部電源から回路内部で使用する低い電圧の電源を発生させるために、ＤＣ−ＤＣコンバータなどのスイッチング電源回路が実装されている。その１例を図５に示す。
【０００４】
図５において、Ｑ１、Ｑ２はスイッチング用トランジスタ（この例ではバイポーラ型トランジスタ）、Ｃ１、Ｃ２はコンデンサ、ＣＨはチョークコイル、１１は出力電圧検出部、１２は駆動制御部、＋Ｖ１はＤＣ入力電圧、＋Ｖ２はＤＣ出力電圧、ＧＮＤは接地電位、ＥはトランジスタＱ１のエミッタとトランジスタＱ２のコレクタの接続点を示す。
【０００５】
このスイッチング電源回路は、駆動制御部１２が出力電圧検出部１１で検出した電圧をフィードバックして取り込み、内部回路によりトランジスタＱ１、Ｑ２に駆動信号を印加する。この時、この駆動信号はトランジスタＱ１、Ｑ２のベースに対し、低レベル信号と高レベル信号を交互に印加することで、トランジスタＱ１、Ｑ２を交互にオン／オフする。
【０００６】
すなわち、トランジスタＱ１がオンの時はトランジスタＱ２がオフに駆動され、トランジスタＱ１がオフの時はトランジスタＱ２がオンに駆動される。このようにしてトランジスタＱ１，Ｑ２が駆動されると、トランジスタＱ１のエミッタとトランジスタＱ２のコレクタの接続点Ｅの電圧（又は電位）は低レベルと高レベルに交互に変化し、その電圧によりチョークコイルＣＨを介して出力側のコンデンサＣ２へ電流が流れる。
【０００７】
すなわち、Ｅ点の電位は、トランジスタＱ１がオン、トランジスタＱ２がオフの時は高電位となり、トランジスタＱ１がオフ、トランジスタＱ２がオンの時は低電位となる。このようにしてトランジスタＱ１、Ｑ２のオン／オフによりＥ点にはパルス状に変動する出力電圧が発生するが、この出力電圧の変化時に大きなノイズが発生する。
【０００８】
このように、このスイッチング電源回路は大きなノイズを発生させる性質を持っている。携帯情報端末の消費電力増大に伴い、このノイズも増大する傾向となる。
【０００９】
この電源ノイズは、時に携帯情報端末のプリント基板から直接、また時に回路を伝わり携帯情報端末の外部インタフェースを経由して、伝播の形で外部に放射される。これらの不要な伝播の輻射は規定のレベル内に納まるよう世界各国にて規制されている。欧州のＥＮ６０９５０規制などがこれに該当する。これらの規制に対し、携帯情報端末には不要輻射への対策がなさればならない。スイッチング電源回路の発するノイズを低減させることができれば、不要輻射への有効な対策となる。
【００１０】
(2) ：従来例２
以下、特許文献１を従来例２として説明する。従来例２には次のような内容が記載されている。
【００１１】
(a) ：「入力された電源電圧が、前記第１の電源電圧であるか前記第２の電源電圧であるかを検出する電源電圧検出回路と、前記電源電圧検出回路によって検出された電源電圧に応じて、前記スナバ回路のスナバ定数を、前記第１の電源電圧のとき小、前記第２の電源電圧のとき大となるよう切り換えるスナバ定数切り換え手段とを設けて構成した」・・・特許請求の範囲の請求項１参照。
【００１２】
(b) ：「スナバ回路や電流制限回路を備えたスイッチング電源装置において、損失が少なく、必要以上に定格の大きなデバイスを用いる必要がないスイッチング電源装置を提供することを目的とする。」・・・段落番号［０００４］参照
(3) ：従来例３
以下、特許文献２を従来例３として説明する。従来例３には次のような内容が記載されている。
【００１３】
(a) ：「スナバ回路の抵抗器の発熱を低減して、小さな定格電力の抵抗器が使用できるように形成したスイッチング電源装置の提供。」・・・要約の欄を参照
(b) ：「スナバ回路の少なくとも一方は、複数の抵抗器と、該抵抗器のうち過熱していない１個を選択する切替手段と、を有することを特徴とするスイッチング電源装置。」・・・特許請求の範囲の請求項１参照。
【００１４】
(4) ：従来例４
以下、特許文献３を従来例４として説明する。従来例４には次のような内容が記載されている。
【００１５】
(a) ：「トランスの入力巻線のオープンインダクタンスとスナバコンデンサの容量とで自己リセットするコンバータ回路において、入力電圧に対応して上記スナバコンデンサの容量が増減されることを特徴とするコンバータ回路。」・・・特許請求の範囲参照
(b) ：「低レベルの直流入力電圧に適したスナバコンデンサの容量と高レベルの直流入力電圧に適したスナバコンデンサの容量とを自動的に選択して、効率的な動作を行うことができる。」・・・作用の欄を参照
【特許文献１】特開２００１−２２４１７７号公報
【特許文献２】特開平８−１８２３１７号公報
【特許文献３】特開平２−１６８８５８号公報
【発明の開示】
【発明が解決しようとする課題】
【００１６】
(1) ：従来例１では、スイッチング電源回路の発するノイズは、電源回路の効率が良いほど大きくなる性質を持っている。すなわち、電源回路の効率（効率＝出力電力／入力電力）を意図的に落とすことにより、不要輻射を抑えることができる。この場合、効率を落とせば落とすほど、電源回路におけるエネルギーの損失が大きくなる。例えば、スイッチング電源回路に対してスナバ回路を設けることで、スイッチングノイズを低減することができるが、電源の効率は低下する。
【００１７】
外部電源を取り外しても、バッテリにて動作可能な携帯情報端末においては、電源回路の効率を落としてしまうとロスが大きくなり、バッテリ動作時間が短くなってしまう。これは装置の性能が低下することを意味しており、重大な問題である。
【００１８】
(2) ：従来例２は、スナバ回路や電流制限回路を備えたスイッチング電源装置において、損失が少なく、必要以上に定格の大きなデバイスを用いる必要がないスイッチング電源装置を提供することを目的とし、入力された電源電圧が、前記第１の電源電圧であるか前記第２の電源電圧であるかを検出する電源電圧検出回路と、前記電源電圧検出回路によって検出された電源電圧に応じて、前記スナバ回路のスナバ定数を、前記第１の電源電圧のとき小、前記第２の電源電圧のとき大となるよう切り換えるスナバ定数切り換え手段とを設けて構成したという内容である。
【００１９】
しかし、従来例２には、本発明の必須構成要件の一つである、携帯情報端末が外部からの電源供給状態等を検知して、自動的に電源効率を落として不要輻射を低減させることにより、バッテリでの動作時間を損なうことなく不要輻射への対策を行うという内容は無く、本発明の背景技術程度の内容である。
【００２０】
(3) ：従来例３は、スナバ回路の抵抗器の発熱を低減して、小さな定格電力の抵抗器が使用できるように形成したスイッチング電源装置の提供することを目的とし、スナバ回路の少なくとも一方は、複数の抵抗器と、該抵抗器のうち過熱していない１個を選択する切替手段とを有することを特徴とするスイッチング電源装置に関するものである。
【００２１】
しかし、従来例３には、本発明の必須構成要件の一つである、携帯情報端末が外部からの電源供給状態等を検知して、自動的に電源効率を落として不要輻射を低減させることにより、バッテリでの動作時間を損なうことなく不要輻射への対策を行うという内容は無く、本発明の背景技術程度の内容である。
【００２２】
(4) ：従来例４は、トランスの入力巻線のオープンインダクタンスとスナバコンデンサの容量とで自己リセットするコンバータ回路において、入力電圧に対応して上記スナバコンデンサの容量が増減されるという内容であり、低レベルの直流入力電圧に適したスナバコンデンサの容量と高レベルの直流入力電圧に適したスナバコンデンサの容量とを自動的に選択して、効率的な動作を行うことができるという内容である。
【００２３】
しかし、従来例４には、本発明の必須構成要件の一つである、携帯情報端末が外部からの電源供給状態等を検知して、自動的に電源効率を落として不要輻射を低減させることにより、バッテリでの動作時間を損なうことなく不要輻射への対策を行うという内容は無く、本発明の背景技術程度の内容である。
【００２４】
本発明は従来の課題を解決するためになされたものであり、携帯情報端末が外部からの給電状態又は接続状態を検知して自動的に電源効率を落として不要輻射を低減させることにより、バッテリ電源での動作時間を損なうことなく不要輻射への対策を行うことを目的としている。
【課題を解決するための手段】
【００２５】
本発明は前記の目的を達成するため、次のように構成した。
【００２６】
(1) ：内蔵のバッテリ電源又は外部電源からの電源供給により動作するスイッチング電源回路を備えた携帯情報端末において、前記スイッチング電源回路に、交互にオン／オフするように駆動される複数のスイッチング用トランジスタと、前記スイッチング用トランジスタを駆動制御するための駆動制御部と、前記スイッチング用トランジスタのスイッチングにより発生した電圧で充電される出力側のコンデンサと、前記複数のスイッチング用トランジスタの接続点から直接引き出されるラインを前記スイッチング用トランジスタの出力側のラインとし、該出力側のラインと接地電位間に接続したスナバ回路を備え、前記スナバ回路は、前記交互にオン／オフするように駆動される複数のスイッチング用トランジスタの出力側のラインに接続された、スナバ回路用スイッチングトランジスタと、抵抗と、コンデンサの直列回路を含んで構成されており、前記スナバ回路用スイッチングトランジスタがオンになり、スナバ回路に電流が流れると、前記ラインのノイズが吸収され、前記スナバ回路用スイッチングトランジスタがオフになり、スナバ回路に電流が流れなくなると、前記ラインのノイズが吸収されなくなる機能を備えると共に、外部電源の接続状態を検出する外部電源検出部と、外部電源から給電されているドッキングステーション／ポートリプリケータの接続状態を検出するドッキングステーション／ポートリプリケータ検出部と、外部インタフェースの接続状態を検出するＩ／Ｆ接続検出部からなる複数の検出手段を有する検出部を設け、前記検出部内の複数の検出手段からの検出信号の論理和出力により、前記スナバ回路が駆動制御される。
【００２７】
(2) ：前記(1) の携帯情報端末において、前記外部電源検出部により外部電源が接続されていることを検出した場合には、前記外部電源検出部の検出信号に基づいて前記スナバ回路をオン状態に駆動して、前記スナバ回路の機能により前記ラインのノイズを吸収させ、
外部電源が遮断されたことを検出した場合には、前記外部電源検出部の検出信号に基づいて前記スナバ回路をオフ状態に駆動し、前記スナバ回路の機能を停止させる。
【００２８】
(3) ：前記(1) の携帯情報端末において、前記ドッキングステーション／ポートリプリケータ検出部により前記ドッキングステーション／ポートリプリケータが接続されていることを検出した場合には、前記ドッキングステーション／ポートリプリケータ検出部の検出信号に基づいて前記スナバ回路をオン状態に駆動して、前記スナバ回路の機能により前記ラインのノイズを吸収させ、ドッキングステーション／ポートリプリケータが接続されていないことを検出した場合には、前記ドッキングステーション／ポートリプリケータ検出部の検出信号に基づいて前記スナバ回路をオフ状態に駆動し、前記スナバ回路の機能を停止させる。
【００２９】
(4) ：前記(1) の携帯情報端末において、前記Ｉ／Ｆ接続検出部により、インタフェースが接続されていることを検出した場合には、前記Ｉ／Ｆ接続検出部の検出信号に基づいて前記スナバ回路をオン状態に駆動して、前記スナバ回路の機能により前記ラインのノイズを吸収させ、インタフェースが接続されていないことを検出した場合には、前記Ｉ／Ｆ接続検出部の検出信号に基づいて前記スナバ回路をオフ状態に駆動し、前記スナバ回路の機能を停止させる。
【００３１】
（作用）
図１は本発明の原理説明図である。以下、図１を参照しながら前記構成に基づく本発明の作用を説明する。
【００３２】
コンデンサＣ１は、ＤＣ入力電圧＋Ｖ１とＧＮＤとの間に接続されており、ＤＣ入力電圧＋Ｖ１をスイッチング用トランジスタＱ１のコレクタに印加している。駆動制御部１２には内部電圧が印加しており、スイッチング用トランジスタＱ１、Ｑ２を交互にオン／オフ駆動するための制御を行う。この場合、駆動制御部１２には出力電圧検出部１１により検出した出力電圧をフィードバック信号（ＦＢ信号）して取り込み、スイッチング用トランジスタＱ１、Ｑ２を交互にオン／オフ駆動する制御を行う。
【００３３】
スイッチング用トランジスタＱ１、Ｑ２が交互にオン／オフ駆動された結果のＥ点の電圧は、図１に示したような波形の電圧であり、この電圧によりチョークコイルＣＨを介してコンデンサＣ２に電流が流れ、コンデンサＣ２を充電する。そして、コンデンサＣ２の充電電圧をＤＣ出力電圧（＋Ｖ２）として取り出す。
【００３４】
また、スナバ回路２（トランジスタ、抵抗、コンデンサの直列回路で構成された回路）は、外部電源検出部１３、Ｉ／Ｆ接続検出部１４、ドッキングステーション／ポートリプリケータ検出部１５からの検出信号の論理和出力で駆動制御される。すなわち、外部電源検出部１３、Ｉ／Ｆ接続検出部１４、ドッキングステーション／ポートリプリケータ検出部１５からの検出信号は、ＯＲゲート回路１の論理和出力により駆動制御される。
【００３５】
このようにスイッチング用トランジスタＱ１、Ｑ２がオン／オフ駆動されることで、スイッチング用トランジスタＱ１のエミッタとトランジスタＱ２のコレクタとの接続点Ｅには、図示のような出力電圧が発生する。この出力電圧は、スイッチング用トランジスタＱ１、Ｑ２のスイッチングの際に、瞬間的にＰ１、Ｐ２で示すような大きな電圧となり、これがノイズ発生の原因となる。しかし、Ｅ点に発生する電圧（Ｐ１、Ｐ２で示す瞬間的な大電圧でノイズの原因となるもの）はスナバ回路２がオンの時に、該でスナバ回路２により吸収され、前記ノイズが抑制される。また、電源がバッテリ電源のみとなった場合には、スナバ回路２は動作を停止する。
【００３６】
このようにして、携帯情報端末が外部からの給電状態又は接続状態を検知して自動的に電源効率を落として不要輻射を低減させることにより、バッテリ電源での動作時間を損なうことなく不要輻射への対策を行うことができる。
【発明の効果】
【００３７】
本発明は請求項１乃至５では、次のような効果がある。
【００３８】
(1) ：携帯情報端末が外部からの給電状態又は接続状態を検知して自動的に電源効率を落として不要輻射を低減させることにより、バッテリ電源での動作時間を損なうことなく不要輻射への対策を行うことができる。
【００３９】
(2) ：外部電源及びバッテリ電源を有し、スイッチング電源回路の効率を制御することが可能な携帯情報端末において、装置本体へのＡＣアダプタなどの外部電源の接続を検知し、その状態によって自動的にスイッチング電源回路の効率を低下させることにより、バッテリ電源での動作時間を損なうことなくノイズ発生を抑制することができる。
【００４０】
(3) ：外部電源及びバッテリ電源を有し、スイッチング電源回路の効率を制御することが可能な携帯情報端末において、装置本体へのＡＣアダプタなどの外部電源の接続を検知したり、外部電源から給電されているドッキングステーション／ポートリプリケータの接続状態を検出したり、或いは、外部インタフェースの接続状態を検出したりした場合に、その状態によって自動的にスイッチング電源回路の効率を低下させることにより、バッテリ電源での動作時間を損なうことなくノイズ発生を抑制することができる。
【発明を実施するための最良の形態】
【００４１】
以下の説明では、前記携帯情報端末をノート型パーソナルコンピュータ（以下、単に「ノートＰＣ」とも記す）に適用した例について説明する。図１乃至図４において、１はＯＲゲート回路、２はスナバ回路、４Ａは携帯情報端末（例えば、ノートＰＣ）、５はスイッチング電源回路、６は検出部、１１は出力電圧検出部、１２は駆動制御部、１３は外部電源検出部、１４はＩ／Ｆ接続検出部（インタフェース接続検出部）、１５はドッキングステーション／ポートリプリケータ検出部、Ｑ１、Ｑ２はスイッチング用トランジスタ、Ｃ１、Ｃ２はコンデンサ、ＣＨはチョークコイル、Ｐ１、Ｐ２はピーク電圧、ＧＮＤは接地電位、Ｄ１、Ｄ２、Ｄ３はダイオード、Ｑｓはスナバ回路のトランジスタ、Ｒｓはスナバ回路の抵抗、Ｃｓはスナバ回路のコンデンサ、ＥはトランジスタＱ１とＱ２の接続点、Ｖ１はＤＣ入力電圧、Ｖ２はＤＣ出力電圧、Ｖｘは内部電圧、ＦＢ信号はフィードバック信号を示す。
【００４２】
§１：概要説明
図１は本発明の原理説明図である。以下、図１に基づいて本発明の概要を説明する。
【００４３】
(1) ：内蔵のバッテリ電源又は外部電源からの電源供給により動作するスイッチング電源回路５を備えた携帯情報端末４Ａ（例えば、ノートＰＣ）において、スイッチング電源回路５に、交互にオン／オフするように駆動される複数のスイッチング用トランジスタＱ１、Ｑ２と、スイッチング用トランジスタＱ１、Ｑ２を駆動制御するための駆動制御部１２と、スイッチング用トランジスタＱ１、Ｑ２のスイッチングにより発生した電圧で充電される出力側のコンデンサＣ２と、スイッチング用トランジスタＱ１、Ｑ２の出力側のラインに接続したスナバ回路２を備え、給電状態又は接続状態を検出する検出部６から出力される検出信号に基づいてスナバ回路２を駆動制御する。
【００４４】
(2) ：前記(1) の携帯情報端末４Ａ（例えば、ノートＰＣ）において、検出部６には外部電源の接続状態を検出する外部電源検出部１３が設けてあり、外部電源検出部１３により外部電源が接続されていることを検出した場合には、外部電源検出部１３の検出信号に基づいてスナバ回路２をオン状態に駆動して、スナバ回路２の機能により前記ラインのノイズを吸収させ、外部電源が遮断されたことを検出した場合には、外部電源検出部１３の検出信号に基づいてスナバ回路２をオフ状態に駆動し、スナバ回路２の機能を停止させる。
【００４５】
(3) ：前記(1) の携帯情報端末４Ａ（例えば、ノートＰＣ）において、検出部６には外部電源から給電されているドッキングステーション／ポートリプリケータの接続状態を検出するドッキングステーション／ポートリプリケータ検出部１５が設けてあり、該ドッキングステーション／ポートリプリケータ検出部１５によりドッキングステーション／ポートリプリケータが接続されていることを検出した場合には、ドッキングステーション／ポートリプリケータ検出部１５の検出信号に基づいてスナバ回路２をオン状態に駆動して、スナバ回路２の機能により前記ラインのノイズを吸収させ、ドッキングステーション／ポートリプリケータが接続されていないことを検出した場合には、ドッキングステーション／ポートリプリケータ検出部１５の検出信号に基づいてスナバ回路２をオフ状態に駆動し、スナバ回路２の機能を停止させる。
【００４６】
(4) ：前記(1) の携帯情報端末４Ａ（例えば、ノートＰＣ）において、検出部６には外部インタフェースの接続状態を検出するＩ／Ｆ接続検出部１４が設けてあり、該Ｉ／Ｆ接続検出部１４により、インタフェースが接続されていることを検出した場合には、Ｉ／Ｆ接続検出部１４の検出信号に基づいてスナバ回路２をオン状態に駆動して、スナバ回路２の機能により前記ラインのノイズを吸収させ、インタフェースが接続されていないことを検出した場合には、Ｉ／Ｆ接続検出部１４の検出信号に基づいてスナバ回路２をオフ状態に駆動し、スナバ回路２の機能を停止させる。
【００４７】
(5) ：前記(1) の携帯情報端末４Ａ（例えば、ノートＰＣ）において、スナバ回路２は、交互にオン／オフするように駆動される複数のスイッチング用トランジスタＱ１、Ｑ２の出力側のラインと接地電位（ＧＮＤ）間に接続された、スナバ回路用スイッチングトランジスタと、抵抗と、コンデンサの直列回路を含んで構成されており、スナバ回路用スイッチングトランジスタがオンになり、スナバ回路２に電流が流れると、前記ラインのノイズが吸収され、スナバ回路用スイッチングトランジスタがオフになり、スナバ回路２に電流が流れなくなると、前記ラインのノイズが吸収されなくなる機能を備えると共に、検出部６には、外部電源の接続状態を検出する外部電源検出部１３と、外部電源から給電されているドッキングステーション／ポートリプリケータの接続状態を検出するドッキングステーション／ポートリプリケータ検出部１５と、外部インタフェースの接続状態を検出するＩ／Ｆ接続検出部１４の各検出手段が設けてあり、これら複数の検出手段からの検出信号の論理和出力（ＯＲゲート回路１の出力）により、スナバ回路２が駆動制御される。
【００４８】
§２：ノートＰＣの説明
図２はノートＰＣの説明図である。図２に示したように、ノートＰＣ４には、スイッチング電源回路５や検出部６が設けてある。スイッチング電源回路５はノートＰＣ４の電源部内に設けてあり、この電源部内のスイッチング電源回路５には、外部電源として商用電源（例えば、電圧１００Ｖの商用電源）からＡＣアダプタを介してＤＣ電源に変換されたＤＣ電源（以下、この電源を「外部電源」と記す）及びバッテリ電源（例えば、ノートＰＣ４内のバッテリ）からの直流電源が供給されるように構成されている。
【００４９】
また、検出部６には、外部電源検出部１３と、Ｉ／Ｆ接続検出部１４と、ドッキングステーション／ポートリプリケータ検出部１５が設けてある。外部電源検出部１３は外部電源が供給されているか否かを検出する（例えば、停電による電源供給停止状態も検出する）ものである。
【００５０】
この場合、前記外部電源としては、例えば、商用交流電源（例えば、ＡＣ１００Ｖ）を入力し、この交流電源を直流に変換し、平滑化して安定化させた直流出力（定電圧のＤＣ出力）が得られるようにしたものを使用する。従って、装置（ノートＰＣ）に入力した前記外部電源は、ＤＣ入力電源として入力するから、外部電源検出部１３では、前記ＤＣ入力電源を監視し、該ＤＣ入力電源が供給されているか否かを検出することで、外部電源の供給又は停止状態を検出することができる。
【００５１】
Ｉ／Ｆ接続検出部１４は、Ｉ／Ｆ（インタフェース）が接続されているか否かを検出するものである。この場合、Ｉ／Ｆ（インタフェース）としては、例えば、ＬＡＮ、ＵＳＢ等であり、このようなＩ／Ｆ（インタフェース）が接続されているか否かは、ＯＳが装置内で得た情報を獲得することで、Ｉ／Ｆ接続検出部１４が検出する。
【００５２】
ドッキングステーション／ポートリプリケータ検出部１５は、ドッキングステーション又はポートリプリケータがノートＰＣ４に接続されているか否かを検出するものである。この場合、ドッキングステーション／ポートリプリケータ検出部１５は、ＯＳが装置内で得た情報を獲得することで、ドッキングステーション又はポートリプリケータがノートＰＣ４に接続されているか否かを検出する。
【００５３】
また、スイッチング電源回路５には、２つのスイッチング用トランジスタＱ１、Ｑ２と、ＯＲゲート回路１と、スナバ回路２と、チョークコイルＣＨと、コンデンサＣ２等が設けてある。なお、ＥはトランジスタＱ１とＱ２の接続点を示す。
【００５４】
スイッチング電源回路５では、トランジスタＱ１、Ｑ２が交互にオン／オフ駆動されるようになっていて、Ｅ点の電圧（又は電位）によりチョークコイルＣＨを介してコンデンサＣ２に電流が流れ該コンデンサＣ２が充電される。このコンデンサＣ２の電圧はＤＣ出力電圧として負荷に供給されるようになっている。
【００５５】
この場合、トランジスタＱ１、Ｑ２のスイッチング動作によりＥ点にはノイズとなる電圧が発生するので、このノイズを抑制するために、スナバ回路２がＥ点に接続されている。そして、スナバ回路２を駆動するためにＯＲゲート回路１が設けてあり、このＯＲゲート回路１には検出部６の外部電源検出部１３と、Ｉ／Ｆ接続検出部１４と、ドッキングステーション／ポートリプリケータ検出部１５からの出力信号が入力している。
【００５６】
このようにして、検出部６からの出力信号によりＯＲゲート回路１を介してスナバ回路２が動作し、Ｅ点で発生したノイズ電圧を抑制するように構成されている。
【００５７】
なお、前記用語の意味等は次の通りである。
【００５８】
(a) ：ポートリプリケータ（Port Replicator ）は、シリアル・ポートやパラレル・ポート、キーボード・コネクタなど、バソコンの各種コネクタ類を搭載した拡張ユニットのことである。
【００５９】
(b) ：ドッキングステーション（Docking Station ）は、ノートパソコン用の機能拡張装置のことである。メーカによってはドッキング・ベイや拡張ユニットなどともいう。
【００６０】
§３：スナバ回路例の説明
図３はスナバ回路例の説明図であり、Ａ図はスナバ回路例１、Ｂ図はスナバ回路例２を示す。
【００６１】
(1) ：スナバ回路例１
この例は、２つのスイッチング用トランジスタＱ１、Ｑ２及びスナバ回路２のトランジスタＱｓを、バイポーラ型トランジスタで構成した例である。
【００６２】
図３のＡ図において、Ｑ１、Ｑ２はスイッチング用トランジスタ、Ｃ２は出力側のコンデンサ、１はＯＲゲート回路、２はスナバ回路である。この場合、スナバ回路２は、トランジスタ（バイポーラ型トランジスタ）Ｑｓと、抵抗Ｒｓと、コンデンサＣｓの直列回路で構成され、Ｅ点（スイッチング用トランジスタＱ１、Ｑ２の出力ライン）とＧＮＤ（接地電位）との間に接続されている。
【００６３】
ＯＲゲート回路１は、検出部６の各部の出力を取り込み、３つのダイオードＤ１乃至Ｄ３の論理和出力をスナバ回路２のトランジスタＱ１のベースへ印加する機能を有するものである。例えば、ＯＲゲート回路１のダイオードＤ１は、検出部６の外部電源検出部１３の出力を入力し、ダイオードＤ２は、検出部６のＩ／Ｆ接続検出部１４の出力を入力し、ダイオードＤ３は、検出部６のドッキングステーション／ポートリプリケータ検出部１５の出力を入力し、各ダイオードＤ１乃至Ｄ３による論理和出力をスナバ回路２のトランジスタＱ１のベースへ印加する。
【００６４】
この回路の動作は次の通りである。トランジスタＱ１、Ｑ２は、ベースに駆動パルスが印加され、この駆動パルスにより交互にオン／オフ駆動される。例えば、タイミングｔ１ではトランジスタＱ１がオンでトランジスタＱ２がオフに駆動され、次のタイミングｔ２ではトランジスタＱ１がオフでトランジスタＱ２がオンに駆動され、次のタイミングｔ３ではトランジスタＱ１がオンでトランジスタＱ２がオフに駆動される。
【００６５】
このようにトランジスタＱ１、Ｑ２がオン／オフ駆動されることで、トランジスタＱ１のエミッタとトランジスタＱ２のコレクタとの接続点Ｅには、図示のような出力電圧が発生する。この出力電圧は、トランジスタＱ１、Ｑ２のスイッチングの際に、瞬間的にＰ１、Ｐ２で示すような大きな電圧が発生し、これがノイズ発生の原因となる。
【００６６】
このようなＥ点に発生する電圧により、Ｅ点からチョークコイルＣＨを介して出力側のコンデンサＣ２に電流が流れ、該コンデンサＣ２が充電される。そして、このコンデンサＣ２の電圧がＤＣ出力電圧＋Ｖ２となる。
【００６７】
(2) ：スナバ回路例２
この例は、２つのスイッチング用トランジスタＱ１、Ｑ２及びスナバ回路２のトランジスタＱｓを、ＭＯＳ−ＦＥＴ（例えば、Ｎ−ＭＯＳ−Ｐｏｗｅｒ−ＦＥＴ）で構成した例である。
【００６８】
図３のＢ図において、Ｑ１、Ｑ２はスイッチング用トランジスタ（例えば、Ｎ−ＭＯＳ−Ｐｏｗｅｒ−ＦＥＴ）、Ｃ２は出力側のコンデンサ、１はＯＲゲート回路、２はスナバ回路である。この場合、スナバ回路２は、トランジスタＱｓ（例えば、Ｎ−ＭＯＳ−Ｐｏｗｅｒ−ＦＥＴ）と、抵抗Ｒｓと、コンデンサＣｓの直列回路で構成され、Ｅ点（スイッチング用トランジスタＱ１、Ｑ２の出力ライン）とＧＮＤ（接地電位）との間に接続されている。
【００６９】
ＯＲゲート回路１は、検出部６の各部の出力を取り込み、３つのダイオードＤ１乃至Ｄ３による論理和出力をスナバ回路２のトランジスタＱ１のゲートへ印加する機能を有するものである。例えば、ＯＲゲート回路１のダイオードＤ１は、検出部６の外部電源検出部１３の出力を入力し、ダイオードＤ２は、検出部６のＩ／Ｆ接続検出部１４の出力を入力し、ダイオードＤ３は、検出部６のドッキングステーション／ポートリプリケータ検出部１５の出力を入力し、各ダイオードＤ１乃至Ｄ３による論理和出力をスナバ回路２のトランジスタＱ１のゲートへ印加する。
【００７０】
この回路の動作は次の通りである。トランジスタＱ１、Ｑ２は、ゲートに駆動パルスが印加され、この駆動パルスにより交互にオン／オフ駆動される。例えば、タイミングｔ１ではトランジスタＱ１がオンでトランジスタＱ２がオフに駆動され、次のタイミングｔ２ではトランジスタＱ１がオフでトランジスタＱ２がオンに駆動され、次のタイミングｔ３ではトランジスタＱ１がオンでトランジスタＱ２がオフに駆動される。
【００７１】
このようにトランジスタＱ１、Ｑ２がオン／オフ駆動されることで、トランジスタＱ１のエミッタとトランジスタＱ２のコレクタとの接続点Ｅには、図示のような出力電圧が発生する。この出力電圧は、トランジスタＱ１、Ｑ２のスイッチングの際に、瞬間的にＰ１、Ｐ２で示すような大きな電圧が発生し、これがノイズ発生の原因となる。
【００７２】
このようなＥ点に発生する電圧により、Ｅ点からチョークコイルＣＨを介して出力側のコンデンサＣ２に電流が流れ、該コンデンサＣ２が充電される。そして、このコンデンサＣ２の電圧がＤＣ出力電圧＋Ｖ２となる。
【００７３】
§４：ノートＰＣのスイッチング電源回路例の説明
図４はノートＰＣのスイッチング電源回路例の説明図である。以下、図４に基づいてスイッチング電源回路例を説明する。
【００７４】
Ａ：構成の説明
このスイッチング電源回路はノートＰＣの電源部内に設けられたものであり、基本的な回路部分のみを図示してある。このスイッチング電源回路は、入力側のコンデンサＣ１と、２つのスイッチング用トランジスタＱ１、Ｑ２と、これらのスイッチング用トランジスタＱ１、Ｑ２を駆動制御する駆動制御部１２と、前記スイッチング用トランジスタＱ１、Ｑ２の接続点Ｅに一端が接続されたチョークコイルＣＨと、該チョークコイルＣＨの他端に接続された出力側のコンデンサＣ２と、前記チョークコイルＣＨと出力側のコンデンサＣ２の接続点に接続された出力電圧検出部１１と、前記Ｅ点に接続されたトランジスタＱｓ、抵抗Ｒｓ、コンデンサＣｓの直列回路からなるスナバ回路等を備えている。
【００７５】
また、トランジスタＱｓ、抵抗Ｒｓ、コンデンサＣｓの直列回路で構成されたスナバ回路には、ダイオードＤ１、Ｄ２、Ｄ３から成るＯＲゲート回路を介して、外部電源検出部１３、Ｉ／Ｆ接続検出部１４、ドッキングステーション／ポートリプリケータ検出部１５の検出信号が入力しており、これらの入力信号の内、ＯＲゲート回路を通過した信号によりスナバ回路のトランジスタＱｓが駆動制御されるようになっている。
【００７６】
Ｂ：動作の説明
前記回路において、コンデンサＣ１は、ＤＣ入力電圧＋Ｖ１とＧＮＤとの間に接続されており、ＤＣ入力電圧＋Ｖ１をトランジスタＱ１のコレクタに印加している。駆動制御部１２には内部電圧＋Ｖｘ（任意の電圧）が印加しており、トランジスタＱ１、Ｑ２を交互にオン／オフ駆動するための制御を行う。この場合、駆動制御部１２には出力電圧検出部１１により検出した出力電圧（ＤＣ、＋Ｖ２）をフィードバックして取り込み、トランジスタＱ１、Ｑ２を交互にオン／オフ駆動する制御を行う。
【００７７】
トランジスタＱ１、Ｑ２が交互にオン／オフ駆動された結果のＥ点の電圧（又は電位）は、図３に示したような波形の電圧であり、この電圧によりチョークコイルＣＨを介してコンデンサＣ２に電流が流れ、コンデンサＣ２を充電する。そして、コンデンサＣ２の充電電圧をＤＣ出力電圧として取り出す。
【００７８】
また、トランジスタＱｓ、抵抗Ｒｓ、コンデンサＣｓの直列回路で構成されたスナバ回路は、外部電源検出部１３、Ｉ／Ｆ接続検出部１４、ドッキングステーション／ポートリプリケータ検出部１５からの検出信号の論理和出力で駆動制御される。すなわち、外部電源検出部１３、Ｉ／Ｆ接続検出部１４、ドッキングステーション／ポートリプリケータ検出部１５からの検出信号は、ダイオードＤ１、Ｄ２、Ｄ３からなる論理和回路による論理和出力で駆動制御される。
【００７９】
§５：その他の説明
本発明は、ノートＰＣに限らず、携帯電話機、ＰＤＡ、カーナビゲーション（車から取り外して家の中でも使用可能なもの）等の携帯情報端末に適用可能である。
【図面の簡単な説明】
【００８０】
【図１】本発明の原理説明図である。
【図２】実施の形態における携帯情報端末の説明図である。
【図３】実施の形態におけるスナバ回路例の説明図であり、Ａ図はスナバ回路例１、Ｂ図はスナバ回路例２を示す。
【図４】実施の形態における携帯情報端末のスイッチング電源回路例である。
【図５】従来のスイッチング電源回路例である。
【符号の説明】
【００８１】
１  ＯＲゲート回路
２  スナバ回路
４Ａ  携帯情報端末
４  ノートＰＣ（ノートパソコン）  
５  スイッチング電源回路
６  検出部
１１  出力電圧検出部
１２  駆動制御部
１３  外部電源検出部
１４  Ｉ／Ｆ接続検出部（インタフェース接続検出部）
１５  ドッキングステーション／ポートリプリケータ検出部
Ｑ１、Ｑ２  トランジスタ
Ｃ１、Ｃ２  コンデンサ
ＣＨ  チョークコイル
Ｐ１、Ｐ２  ピーク電圧
ＧＮＤ  接地電位
Ｄ１、Ｄ２、Ｄ３  ダイオード
Ｑｓ  スナバ回路のトランジスタ
Ｒｓ  スナバ回路の抵抗
Ｃｓ  スナバ回路のコンデンサ
Ｅ  トランジスタＱ１とＱ２の接続点
Ｖ１  ＤＣ入力電圧
Ｖ２  ＤＣ出力電圧
Ｖｘ  内部電圧（任意の電圧）
ＦＢ信号  フィードバック信号
【図１】
0005076680.tif 000002
【図２】
0005076680.tif 000003
【図３】
0005076680.tif 000004
【図４】
0005076680.tif 000005
【図５】
0005076680.tif 000006